(57)【要約】【課題】複数の設定項目のヘルプ情報を表示する場合に、各ヘルプ情報を所望の順番で表示できるようにすることを目的とする。【解決手段】情報処理装置１００は、画面における複数の設定項目の各々の表示位置を示す配置情報を記憶する記憶部１１０と、その配置情報で示される表示位置に複数の設定項目の各々を配置して、設定を行う設定項目の選択を受け付ける設定項目選択画面を表示するとともに、その配置情報で示される表示位置に対応する順序で、複数の設定項目の各々のヘルプ情報を示すヘルプ画面を表示する表示部として機能するタッチパネル１２０とを備える。【選択図】図１
2016009420.tif 000002
【特許請求の範囲】
【請求項１】
画面における複数の設定項目の各々の表示位置を示す配置情報を記憶する記憶部と、
前記配置情報で示される表示位置に前記複数の設定項目の各々を配置して、設定を行う設定項目の選択を受け付ける設定項目選択画面を表示するとともに、前記配置情報で示される表示位置に対応する順序で、前記複数の設定項目の各々のヘルプ情報を示すヘルプ画面を表示する表示部と、を備えること
を特徴とする情報処理装置。
【請求項２】
前記表示部は、前記複数の設定項目の何れかの表示位置を変更する指示の入力を受け付ける表示位置変更画面をさらに表示し、
前記表示位置変更画面を介して変更された表示位置を示すように、前記配置情報を更新する制御部をさらに備えること
を特徴とする請求項１に記載の情報処理装置。
【請求項３】
前記表示部は、前記ヘルプ画面において、前記複数の設定項目に含まれる一つの設定項目のヘルプ情報を表示すること
を特徴とする請求項１又は２に記載の情報処理装置。
【請求項４】
前記ヘルプ画面には、次の設定項目のヘルプ情報を表示する指示の入力を受け付ける次ヘルプ領域が設けられており、
前記表示部は、前記次ヘルプ領域を選択した実行指示の入力を受け付けた場合には、前記配置情報で示される表示位置に対応する順序に従って、現在の設定項目の次の設定項目のヘルプ情報を示すヘルプ画面を表示すること
を特徴とする請求項３に記載の情報処理装置。
【請求項５】
前記ヘルプ画面には、前の設定項目のヘルプ情報を表示する指示の入力を受け付ける前ヘルプ領域が設けられており、
前記表示部は、前記次ヘルプ領域を選択した実行指示の入力を受け付けた場合には、前記配置情報で示される表示位置に対応する順序に従って、現在の設定項目の前の設定項目のヘルプ情報を示すヘルプ画面を表示すること
を特徴とする請求項３又は４に記載の情報処理装置。
【請求項６】
前記表示部は、前記一つの設定項目のヘルプ情報を複数のページに分けて、ページ毎に分けられた一部のヘルプ情報を示すヘルプ画面を表示すること
を特徴とする請求項３から５の何れか一項に記載の情報処理装置。
【請求項７】
前記ヘルプ画面には、次のページのヘルプ情報を表示する指示の入力を受け付ける次ページ領域が設けられており、
前記表示部は、前記次ページ領域を選択した実行指示の入力を受け付けた場合には、現在のページの次のページに対応する一部のヘルプ情報を示すヘルプ画面を表示すること
を特徴とする請求項６に記載の情報処理装置。
【請求項８】
前記表示部は、前記次ページ領域を選択した実行指示の入力を受け付けた場合において、現在のページの次のページに対応する一部のヘルプ情報がないときには、前記配置情報で示される表示位置に対応する順序に従って、現在の設定項目の次の設定項目のヘルプ情報の少なくとも一部を示すヘルプ画面を表示すること
を特徴とする請求項６又は７に記載の情報処理装置。
【請求項９】
前記ヘルプ画面には、前のページのヘルプ情報を表示する指示の入力を受け付ける前ページ領域が設けられており、
前記表示部は、前記前ページ領域を選択した実行指示の入力を受け付けた場合には、現在のページの前のページに対応する一部のヘルプ情報を示すヘルプ画面を表示すること
を特徴とする請求項６から８の何れか一項に記載の情報処理装置。
【請求項１０】
前記表示部は、前記前ページ領域を選択した実行指示の入力を受け付けた場合において、現在のページの前のページに対応する一部のヘルプ情報がないときには、前記配置情報で示される表示位置に対応する順序に従って、現在の設定項目の前の設定項目のヘルプ情報を示すヘルプ画面を表示すること
を特徴とする請求項６から９の何れか一項に記載の情報処理装置。
【請求項１１】
画面における複数の設定項目の各々の表示位置を示す配置情報で示される表示位置に前記複数の設定項目の各々を配置して、設定を行う設定項目の選択を受け付ける設定項目選択画面を表示する過程と、
前記配置情報で示される表示位置に対応する順序で、前記複数の設定項目の各々のヘルプ情報を示すヘルプ画面を表示する過程と、を有すること
を特徴とする情報処理方法。
【発明の詳細な説明】
【技術分野】
【０００１】
本発明は、情報処理装置及び情報処理方法に関する。
【背景技術】
【０００２】
タッチパネルを備える情報処理装置において、その機能を説明し、ユーザの操作を補助するために、ヘルプ情報を提供する技術が従来からある。例えば、特許文献１には、携帯端末装置において、所定のボタンを押下し続けることにより、画面上に表示される機能項目に対して、一定時間間隔でフォーカスを移動するとともに、フォーカスが当たっている機能項目に対応するヘルプ情報を表示する技術が開示されている。
【先行技術文献】
【特許文献】
【０００３】
【特許文献１】特開２０１２―１７４０２３号公報
【発明の概要】
【発明が解決しようとする課題】
【０００４】
しかしながら、従来の技術は、画面上に配置されている複数の機能項目及び設定項目に対応するヘルプ情報を、所望の順番で逐次閲覧したい場合には、不便である。
【０００５】
そこで、本発明は、複数の設定項目のヘルプ情報を表示する場合に、各ヘルプ情報を所望の順番で表示できるようにすることを目的とする。
【課題を解決するための手段】
【０００６】
本発明の一態様に係る情報処理装置は、画面における複数の設定項目の各々の表示位置を示す配置情報を記憶する記憶部と、前記配置情報で示される表示位置に前記複数の設定項目の各々を配置して、設定を行う設定項目の選択を受け付ける設定項目選択画面を表示するとともに、前記配置情報で示される表示位置に対応する順序で、前記複数の設定項目の各々のヘルプ情報を示すヘルプ画面を表示する表示部と、を備えることを特徴とする。
【０００７】
本発明の一態様に係る情報処理方法は、画面における複数の設定項目の各々の表示位置を示す配置情報で示される表示位置に前記複数の設定項目の各々を配置して、設定を行う設定項目の選択を受け付ける設定項目選択画面を表示する過程と、前記配置情報で示される表示位置に対応する順序で、前記複数の設定項目の各々のヘルプ情報を示すヘルプ画面を表示する過程と、を有することを特徴とする。
【発明の効果】
【０００８】
本発明の一態様によれば、複数の設定項目のヘルプ情報を表示する場合に、各ヘルプ情報を所望の順番で表示することができる。
【図面の簡単な説明】
【０００９】
【図１】実施の形態１に係る情報処理装置の構成を概略的に示すブロック図である。
【図２】実施の形態１における設定項目選択画面の第１の例を示す概略図である。
【図３】実施の形態１におけるヘルプ画面の第１の例を示す概略図である。
【図４】実施の形態１におけるヘルプ画面の第２の例を示す概略図である。
【図５】実施の形態１におけるヘルプ画面の第３の例を示す概略図である。
【図６】実施の形態１における設定項目ボタン指定画面の一例を示す概略図である。
【図７】実施の形態１における設定項目変更画面の一例を示す概略図である。
【図８】実施の形態１における設定項目選択画面の第２の例を示す概略図である。
【図９】実施の形態１におけるヘルプ画面を表示する動作を示すフローチャートである。
【図１０】実施の形態１におけるヘルプ項目の表示順序を決定する処理を示すフローチャートである。
【図１１】実施の形態１におけるヘルプ画面での動作を示すフローチャートである。
【図１２】実施の形態１における前ページ表示処理を示すフローチャートである。
【図１３】実施の形態１における次ページ表示処理を示すフローチャートである。
【図１４】実施の形態１における前ヘルプ表示処理を示すフローチャートである。
【図１５】実施の形態１における後ヘルプ表示処理を示すフローチャートである。
【図１６】実施の形態１における設定項目ボタンへの設定項目の割り当てを変更する処理を示すフローチャートである。
【発明を実施するための形態】
【００１０】
実施の形態１．
（構成の説明）
図１は、実施の形態１に係る情報処理装置１００の構成を概略的に示すブロック図である。本実施の形態における情報処理方法は、情報処理装置１００により実行される。
情報処理装置１００は、記憶部１１０と、タッチパネル１２０と、操作制御部１３０とを備える。
【００１１】
記憶部１１０は、情報処理装置１００での処理に必要な情報を記憶する。
記憶部１１０は、項目情報記憶部１１１と、表示用データ記憶部１１２と、テキストデータ記憶部１１３と、配置情報記憶部１１４と、表示順情報記憶部１１５とを備える。
【００１２】
項目情報記憶部１１１は、各設定項目に対応するヘルプ項目を示す項目情報を記憶する。
表示用データ記憶部１１２は、タッチパネル１２０に画面を表示するための表示用データを記憶する。表示用データは、例えば、タッチパネル１２０に表示する画面を描画するためのプログラム及びタッチパネル１２０に表示する画面に組み込まれる部分画像データを含む。
テキストデータ記憶部１１３は、各ヘルプ項目に対応して表示するヘルプ情報のテキストデータを記憶する。
配置情報記憶部１１４は、設定項目選択画面における複数の設定項目の各々の表示位置を示す配置情報を記憶する。
表示順情報記憶部１１５は、配置情報記憶部１１４に記憶されている配置情報で示される表示位置に応じた、ヘルプ項目の表示順を示す表示順情報を記憶する。なお、表示順情報記憶部１１５は、揮発性の記憶部であってもよい。
ここで、配置情報記憶部１１４に記憶されている配置情報及び表示順情報記憶部１１５に記憶されている表示順情報については、ユーザの操作に応じて、操作制御部１３０が更新する。
【００１３】
タッチパネル１２０は、画面を表示する表示部及び入力を受け付ける受付部として機能する。例えば、タッチパネル１２０は、操作制御部１３０が生成した画面データに基づいて、画面を表示するとともに、抵抗膜により、押下された位置を検出する。具体的には、タッチパネル１２０は、配置情報記憶部１１４に記憶されている配置情報で示される表示位置に複数の設定項目の各々を配置して、設定を行う設定項目の選択を受け付ける設定項目選択画面を表示する。また、タッチパネル１２０は、配置情報記憶部１１４に記憶されている配置情報で示される表示位置に対応する順序で、複数の設定項目の各々のヘルプ情報を示すヘルプ画面を表示する。この順序は、表示順情報記憶部１１５に記憶されている表示順情報で特定される。さらに、タッチパネル１２０は、複数の設定項目の何れかの表示位置を変更する指示の入力を受け付ける表示位置変更画面を表示する。
【００１４】
操作制御部１３０は、情報処理装置１００での処理を制御する制御部である。例えば、操作制御部１３０は、表示用データ記憶部１１２に記憶されている表示用データを用いて、画面データを生成する。そして、操作制御部１３０は、生成された画面データをタッチパネル１２０に送り、それに基づいてタッチパネル１２０に画面を表示させて、その画面を介して入力を受け付ける。これにより、操作制御部１３０は、タッチパネル１２０における画面遷移を制御するとともに、ユーザからの入力に基づいて、図示しない機能実行部における機能の実行を制御する。また、操作制御部１３０は、タッチパネル１２０への入力に基づき、タッチパネル１２０にヘルプ画面を表示させる。なお、図示しない機能実行部は、例えば、紙等の媒体に画像を形成する画像形成部であればよい。
【００１５】
図２は、タッチパネル１２０に表示されるコピー機能における設定項目選択画面の一例を示す概略図である。
図示するように、コピー機能における設定項目選択画面１４０は、ヘルプ画面を表示する指示を入力する領域（ヘルプ指示入力領域）であるヘルプボタン１４１と、コピー部数表示領域１４２と、コピー機能に付随する設定項目を選択するための領域である設定項目ボタン１４３〜１４８とを有する。
ヘルプボタン１４１が押下されると、操作制御部１３０は、設定項目選択画面１４０における設定項目の配置に対応した表示順序で、設定項目に関するヘルプ画面を表示するための画面データを生成する。そして、操作制御部１３０は、生成された画面データをタッチパネル１２０に送り、ヘルプ画面を表示させる。
コピー部数表示領域１４２は、コピー部数を表示する。入力部の一つとして機能する図示しないテンキーにより整数が入力されると、操作制御部１３０は、入力された整数をコピー部数表示領域１４２に反映する。
設定項目ボタン１４３〜１４８の一つが押下されると、操作制御部１３０は、押下された一つのボタンに対応する設定項目に関する設定画面を表示するための画面データを生成する。そして、操作制御部１３０は、生成された画面データをタッチパネル１２０に送り、選択された設定項目に関する設定画面を表示させる。なお、後述するように、設定項目ボタン１４３〜１４８に割り当てる設定項目については、ユーザが変更することができる。
Ｓｅｔｔｉｎｇボタン１４９は、設定項目選択画面１４０における設定項目の配置を変更する指示を入力するための領域（配置変更指示入力領域）である。具体的には、Ｓｅｔｔｉｎｇボタン１４９が押下されると、設定項目ボタン１４３〜１４８に割り当てられている何れかの設定項目を変更するための表示位置変更画面がタッチパネル１２０に表示される。
【００１６】
図３は、タッチパネル１２０に表示されるヘルプ画面の一例を示す概略図である。
図示するようにヘルプ画面１５０は、ヘルプ項目表示領域１５１と、前ヘルプボタン１５２と、次ヘルプボタン１５３と、前ページボタン１５４と、次ページボタン１５５と、ページ表示領域１５６と、ヘルプ表示領域１５７と、Ｃｌｏｓｅボタン１５８とを備える。
ヘルプ項目表示領域１５１は、ヘルプ項目の数及び現在表示されているヘルプ項目を識別するとともに、そのヘルプ項目を表示する順番を示す番号を表示する領域である。なお、本実施の形態では、小さい番号が割り振られたヘルプ項目ほど、表示する順番が早いものとする。
前ヘルプボタン１５２は、現在表示されているヘルプ項目の番号より１小さい番号に対応するヘルプ項目を表示する指示を入力する領域（前ヘルプ領域）である。
次ヘルプボタン１５３は、現在表示されているヘルプ項目の番号より１大きい番号に対応するヘルプ項目を表示する指示を入力する領域（次ヘルプ領域）である。
前ページボタン１５４は、現在表示されているヘルプ項目の、現在表示されているページの前のページを表示する指示を入力する領域（前ページ領域）である。
次ページボタン１５５は、現在表示されているヘルプ項目の、現在表示されているページの次のページを表示する指示を入力する領域（次ページ領域）である。
ページ表示領域１５６は、現在表示されているヘルプ項目に含まれる全てのページ数及び現在表示されているページを示すページ番号を表示する領域である。
ヘルプ表示領域１５７は、ヘルプ情報を表示する領域である。ヘルプ情報は、各設定項目の用法や仕様等の情報から成るテキストであり、設定項目毎にテキストデータ記憶部１１３に記憶されている。
Ｃｌｏｓｅボタン１５８は、ヘルプ画面１５０を閉じる指示を入力する領域である。
【００１７】
図４は、図３に示されているヘルプ画面１５０において、次ページボタン１５５が押下された場合にタッチパネル１２０に表示されるヘルプ画面の一例を示す概略図である。
図４に示されているように、このヘルプ画面１５０＃１では、ページ表示領域１５６＃１に表示されているページ番号が、図３に示されているヘルプ画面１５０のページ番号よりも「１」増えている。
【００１８】
図５は、図３に示されているヘルプ画面１５０において、次ヘルプボタン１５３が押下された場合にタッチパネル１２０に表示されるヘルプ画面の一例を示す概略図である。
図５に示されているように、このヘルプ画面１５０＃２では、ヘルプ項目表示領域１５１＃２に表示されている番号が、図３に示されているヘルプ画面１５０の番号よりも「１」増えている。
【００１９】
図３〜図５に示されているように、タッチパネル１２０は、設定項目の一つに対応するヘルプ情報を一つのヘルプ画面で表示し、ヘルプ情報が一つのヘルプ画面に収まらない場合には、ヘルプ情報を複数のページに分けて、ページ毎に分けられた一部のヘルプ情報を一つのヘルプ画面に表示する。
【００２０】
図６は、設定項目ボタンに割り当てられている設定項目を変更するために、タッチパネル１２０に表示される設定項目ボタン指定画面の一例を示す概略図である。
図示するように、設定項目ボタン指定画面１６０は、配置位置表示領域１６１と、設定項目ボタン指定ボタン１６２〜１６７と、ＯＫボタン１６８と、Ｂａｃｋボタン１６９とを備える。
ここで、図６に示されている設定項目ボタン指定画面１６０は、図２に示されている設定項目選択画面１４０のＳｅｔｔｉｎｇボタン１４９が押下された場合に表示される画面である。
【００２１】
配置位置表示領域１６１は、設定項目選択画面１４０における、設定項目ボタン指定ボタン１６２〜１６７の各々に対応する設定項目ボタンの表示位置を示す領域である。図６の例では、設定項目選択画面１４０において設定項目ボタンが配置されている位置に、設定項目ボタン指定ボタン１６２〜１６７の各々に割り振られている識別番号が表示されている。
設定項目ボタン指定ボタン１６２〜１６７は、変更対象となる設定項目ボタンを指定する指示を入力する領域である。設定項目ボタン指定ボタン１６２〜１６７の各々に割り振られた識別番号で、対応する設定項目ボタンが特定される。
ＯＫボタン１６８は、変更内容を確定して設定項目ボタン指定画面を閉じる指示を入力する領域である。このＯＫボタン１６８が押されると、操作制御部１３０は、設定項目ボタン指定画面１６０において変更された内容に従って、配置情報記憶部１１４に記憶されている配置情報を更新する。
Ｂａｃｋボタン１６９は、変更内容を破棄して設定項目ボタン指定画面を閉じる指示を入力する領域である。
【００２２】
図７は、設定項目ボタンに割り当てられている設定項目を変更するために、タッチパネル１２０に表示される設定項目変更画面の一例を示す概略図である。
図７は、例えば、図６において、「０１」の識別番号が割り当てられている設定項目ボタン指定ボタン１６２が押下された場合に表示される設定項目変更画面１７０である。
図示するように、設定項目変更画面１７０は、設定項目選択ボタン１７１〜１７８と、Ｂａｃｋボタン１７９とを備える。
設定項目選択ボタン１７１〜１７８は、選択された設定項目ボタンに対応付ける設定項目を選択する指示を入力する領域である。設定項目選択ボタン１７１〜１７８には、それぞれ設定項目が割り当てられている。設定項目選択ボタン１７１〜１７８の何れかが押下されると、操作制御部１３０は、図６に示されている設定項目ボタン指定画面１６０で選択された設定項目ボタンと、押下されたボタンに割り当てられている設定項目とを対応付ける。なお、設定項目選択画面１４０において、設定項目ボタン１４３〜１４８に既に割り当てられている設定項目の設定項目選択ボタン１７１〜１７８は、押下することができないようになっているものとする。
Ｂａｃｋボタン１７９は、図６に示されている設定項目ボタン指定画面１６０に戻る指示を入力する領域である。
【００２３】
図６に示されているような設定項目ボタン指定画面１６０及び図７に示されているような設定項目変更画面１７０が、複数の設定項目の表示位置を変更する指示の入力を受け付ける表示位置変更画面を構成する。
【００２４】
図８は、タッチパネル１２０に表示される、コピー機能における設定項目選択画面の他の例を示す概略図である。
図８に示されている、コピー機能における設定項目選択画面１４０＃１は、図７に示されている設定項目変更画面１７０において、枠消去の設定項目に割り当てられた設定項目選択ボタン１７６が押下された後の画面である。
図示するように、コピー機能における設定項目選択画面１４０＃１では、設定項目ボタン１４３＃１に割り当てられている設定項目が枠消去を示す「Ｅｄｇｅ  Ｅｒａｓｅ」に変更されている。
【００２５】
（動作の説明）
以下、ボタンの押下は、そのボタンが配置された領域を指定した実行指示の入力に相当する。
図９は、実施の形態１におけるヘルプ画面を表示する動作を示すフローチャートである。
ここでは、タッチパネル１２０に、図２に示すようなコピー機能における設定項目選択画面１４０が表示されているものとする。
まず、操作制御部１３０は、コピー機能における設定項目選択画面１４０においてヘルプボタン１４１が押下されたか否かを判断する（Ｓ１０）。ヘルプボタン１４１が押下された場合（Ｓ１０でＹｅｓ）には、処理はステップＳ１１に進む。
ステップＳ１１では、操作制御部１３０は、コピー機能における設定項目選択画面１４０に含まれる設定項目に対応するヘルプ項目を項目情報記憶部１１１に記憶されている項目情報から取得する。具体的には、操作制御部１３０は、コピー機能における設定項目選択画面１４０に表示されている設定項目ボタン１４３〜１４８に対応するヘルプ項目を取得する。
【００２６】
次に、操作制御部１３０は、配置情報記憶部１１４に記憶されている配置情報に基づいて、設定項目の配置位置を特定し、この配置位置に基づいて、ヘルプ項目の表示順序を決定する（Ｓ１２）。なお、ヘルプ項目の表示順序の決定処理については、図１０を用いて詳細に説明する。また、操作制御部１３０は、決定した表示順序を示す表示順序情報を表示順情報記憶部１１５に記憶させる。
操作制御部１３０は、表示用データ記憶部１１２に記憶されている表示用データ及びテキストデータ記憶部１１３に記憶されているテキストデータを用いて、ステップＳ１２で決定した表示順序に従って、現在表示すべきヘルプ項目に対応するヘルプ画面の画面データを生成する。そして、操作制御部１３０は、生成した画面データをタッチパネル１２０に送り、それに基づいて、ヘルプ画面を表示させる（Ｓ１３）。
【００２７】
図１０は、実施の形態１におけるヘルプ項目の表示順序を決定する処理を示すフローチャートである。
ここで、「ｉｅ」は、設定項目ボタン１４３〜１４８がコピー機能における設定項目選択画面１４０に配置されている行数である。「ｉ」は、表示順序を算出するヘルプ項目に対応する設定項目ボタン１４３〜１４８がコピー機能における設定項目選択画面１４０に配置されている行を示す行番号である。ここで、「ｉ」は、１≦ｉ≦ｉｅを満たす。「ｊｅ」は、設定項目ボタン１４３〜１４８がコピー機能における設定項目選択画面１４０に配置されている列数である。「ｊ」は、表示順序を算出するヘルプ項目に対応する設定項目ボタン１４３〜１４８がコピー機能における設定項目選択画面１４０に配置されている列を示す列番号である。ここで、「ｊ」は、１≦ｊ≦ｊｅを満たす。
【００２８】
操作制御部１３０は、「ｉ」が「ｉｅ」になるまで、初期値を「１」とし、また、増分を「１」としてステップＳ２１及びＳ２２を繰り返す（Ｓ２０）。
次に、操作制御部１３０は、「ｊ」が「ｊｅ」になるまで、初期値を「１」とし、また、増分を「１」としてステップＳ２２を繰り返す（Ｓ２１）。
ステップＳ２２では、操作制御部１３０は、コピー機能における設定項目選択画面１４０において、「ｉ」で特定される行及び「ｊ」で特定される列に配置されている設定項目ボタン１４３〜１４８に対応するヘルプ項目の表示順序を、下記の（１）式で決定する。
（ｉ−１）×ｊｅ＋ｊ                              （１）
【００２９】
図１０に示されているフローチャートによれば、設定項目選択画面において設定項目に対応するボタンが配置されている表示位置に従って、ヘルプ項目の表示順序が決定される。そのため、例えば、設定項目選択画面において設定項目に対応するボタンを、ユーザが所望する順番に配置すれば、所望の順番で設定項目のヘルプ画面を表示させることができる。例えば、ボタンを使用頻度が高い順に配置すれば、使用頻度の高い設定項目のヘルプ画面が先に表示される。
【００３０】
図１１は、実施の形態１におけるヘルプ画面での動作を示すフローチャートである。
ここでは、タッチパネル１２０に図３に示すようなヘルプ画面１５０が表示されているものとする。
まず、操作制御部１３０は、ヘルプ画面１５０において、何れかのボタンが押下されたか否かを判断する（Ｓ３０）。何れかのボタンが押下された場合（Ｓ３０でＹｅｓ）には、処理はステップＳ３１に進む。
【００３１】
ステップＳ３１では、操作制御部１３０は、押下されたボタンが前ページボタン１５４であるか否かを判断する。押下されたボタンが前ページボタン１５４である場合（Ｓ３１でＹｅｓ）には、処理はステップＳ３２に進み、押下されたボタンが前ページボタン１５４ではない場合（Ｓ３１でＮｏ）には、処理はステップＳ３３に進む。
ステップＳ３２では、操作制御部１３０は、前ページ表示処理を行う。この処理については、図１２を用いて説明する。そして、処理は、ステップＳ３０に戻る。
【００３２】
ステップＳ３３では、操作制御部１３０は、押下されたボタンが次ページボタン１５５であるか否かを判断する。押下されたボタンが次ページボタン１５５である場合（Ｓ３３でＹｅｓ）には、処理はステップＳ３４に進み、押下されたボタンが次ページボタン１５５ではない場合（Ｓ３３でＮｏ）には、処理はステップＳ３５に進む。
ステップＳ３４では、操作制御部１３０は、次ページ表示処理を行う。この処理については、図１３を用いて説明する。そして、処理は、ステップＳ３０に戻る。
【００３３】
ステップＳ３５では、操作制御部１３０は、押下されたボタンが前ヘルプボタン１５２であるか否かを判断する。押下されたボタンが前ヘルプボタン１５２である場合（Ｓ３５でＹｅｓ）には、処理はステップＳ３６に進み、押下されたボタンが前ヘルプボタン１５２ではない場合（Ｓ３５でＮｏ）には、処理はステップＳ３７に進む。
ステップＳ３６では、操作制御部１３０は、前ヘルプ表示処理を行う。この処理については、図１４を用いて説明する。そして、処理は、ステップＳ３０に戻る。
【００３４】
ステップＳ３７では、操作制御部１３０は、押下されたボタンが次ヘルプボタン１５３であるか否かを判断する。押下されたボタンが次ヘルプボタン１５３である場合（Ｓ３７でＹｅｓ）には、処理はステップＳ３８に進み、押下されたボタンが次ヘルプボタン１５３ではない場合（Ｓ３７でＮｏ）には、処理はステップＳ３９に進む。
ステップＳ３８では、操作制御部１３０は、次ヘルプ表示処理を行う。この処理については、図１５を用いて説明する。そして、処理は、ステップＳ３０に戻る。
【００３５】
ステップＳ３９では、押下されたボタンがＣｌｏｓｅボタン１５８であるため、操作制御部１３０は、ヘルプ画面１５０の表示を終了して、例えば、図２に示されているコピー機能における設定項目選択画面１４０をタッチパネル１２０に表示させる。
【００３６】
図１２は、実施の形態１における前ページ表示処理を示すフローチャートである。
操作制御部１３０は、表示中のヘルプ項目が前ページを持つか否かを判断する（Ｓ４０）。例えば、操作制御部１３０は、表示用データ記憶部１１２に記憶されている表示用データ及びテキストデータ記憶部１１３に記憶されているテキストデータに基づいて、図３に示されているヘルプ画面１５０の画面データを生成する。この際、操作制御部１３０は、ヘルプ画面１５０のヘルプ表示領域１５７の大きさに応じて、ヘルプ項目毎に、テキストデータ記憶部１１３に記憶されているテキストデータで示されるヘルプ情報を表示するページ数を決定する。このため、操作制御部１３０は、ヘルプ表示領域１５７に表示しているヘルプ情報、又は、ページ表示領域１５６に表示しているページ数及びページ番号に基づいて、前ページがあるか否かを判断することができる。即ち、操作制御部１３０は、表示中のヘルプ項目が複数ページから成り、その２ページ目以降を表示中の場合には、表示中のヘルプ項目が前ページを持つと判断して（Ｓ４０でＹｅｓ）、処理はステップＳ４１に進む。一方、表示中のヘルプ項目が前ページを持たない場合（Ｓ４０でＮｏ）には、処理はステップＳ４２に進む。
ステップＳ４１では、操作制御部１３０は、表示中のヘルプ項目の前ページの画面データを生成する。そして、操作制御部１３０は、生成された画面データをタッチパネル１２０に送り、前ページのヘルプ画面を表示させる。
【００３７】
ステップＳ４２では、操作制御部１３０は、表示中のヘルプ項目よりも表示順序が先のヘルプ項目があるか否かを判断する。例えば、操作制御部１３０は、表示順情報記憶部１１５に記憶されている表示順情報を参照することにより、この判断を行う。そして、表示中のヘルプ項目よりも表示順序が先のヘルプ項目がある場合（Ｓ４２でＹｅｓ）には、処理は、ステップＳ４３に進む。
ステップＳ４３では、操作制御部１３０は、表示中のヘルプ項目よりも表示順序が一つ前のヘルプ項目における最終ページに対応するヘルプ画面の画面データを生成する。そして、操作制御部１３０は、生成された画面データをタッチパネル１２０に送り、そのヘルプ画面を表示させる。
【００３８】
図１３は、実施の形態１における次ページ表示処理を示すフローチャートである。
操作制御部１３０は、表示中のヘルプ項目が次ページを持つか否かを判断する（Ｓ５０）。操作制御部１３０は、表示中のヘルプ項目が複数ページから成り、現在表示中のページが最終ページではない場合には、表示中のヘルプ項目が次ページを持つと判断して（Ｓ５０でＹｅｓ）、処理はステップＳ５１に進む。一方、表示中のヘルプ項目が次ページを持たない場合（Ｓ５０でＮｏ）には、処理はステップＳ５２に進む。
ステップＳ５１では、操作制御部１３０は、表示中のヘルプ項目の次ページの画面データを生成する。そして、操作制御部１３０は、生成された画面データをタッチパネル１２０に送り、次ページのヘルプ画面を表示させる。
【００３９】
ステップＳ５２では、操作制御部１３０は、表示中のヘルプ項目よりも表示順序が後のヘルプ項目があるか否かを判断する。例えば、操作制御部１３０は、表示順情報記憶部１１５に記憶されている表示順情報を参照することにより、この判断を行う。そして、表示中のヘルプ項目よりも表示順序が後のヘルプ項目がある場合（Ｓ５２でＹｅｓ）には、処理は、ステップＳ５３に進む。
ステップＳ５３では、操作制御部１３０は、表示中のヘルプ項目よりも表示順序が一つ後のヘルプ項目における１ページ目に対応するヘルプ画面の画面データを生成する。そして、操作制御部１３０は、生成された画面データをタッチパネル１２０に送り、そのヘルプ画面を表示させる。
【００４０】
図１４は、実施の形態１における前ヘルプ表示処理を示すフローチャートである。
操作制御部１３０は、表示中のヘルプ項目よりも表示順序が先のヘルプ項目があるか否かを判断する（Ｓ６０）。そして、表示中のヘルプ項目よりも表示順序が先のヘルプ項目がある場合（Ｓ６０でＹｅｓ）には、処理は、ステップＳ６１に進む。
ステップＳ６１では、操作制御部１３０は、表示中のヘルプ項目よりも表示順序が一つ前のヘルプ項目における１ページ目に対応するヘルプ画面の画面データを生成する。そして、操作制御部１３０は、生成された画面データをタッチパネル１２０に送り、そのヘルプ画面を表示させる。
【００４１】
図１５は、実施の形態１における後ヘルプ表示処理を示すフローチャートである。
操作制御部１３０は、表示中のヘルプ項目よりも表示順序が後のヘルプ項目があるか否かを判断する（Ｓ７０）。例えば、操作制御部１３０は、表示順情報記憶部１１５に記憶されている表示順情報を参照することにより、この判断を行う。そして、表示中のヘルプ項目よりも表示順序が後のヘルプ項目がある場合（Ｓ７０でＹｅｓ）には、処理は、ステップＳ７１に進む。
ステップＳ７１では、操作制御部１３０は、表示中のヘルプ項目よりも表示順序が一つ後のヘルプ項目における１ページ目に対応するヘルプ画面の画面データを生成する。そして、操作制御部１３０は、生成された画面データをタッチパネル１２０に送り、そのヘルプ画面を表示させる。
【００４２】
図１６は、実施の形態１における設定項目ボタンへの設定項目の割り当てを変更する処理を示すフローチャートである。
ここでは、図６に示されている設定項目ボタン指定画面１６０がタッチパネル１２０に表示されているものとして説明する。
まず、操作制御部１３０は、設定項目ボタン指定画面１６０にて、設定項目ボタン指定ボタン１６２〜１６７の何れかが押下されたか否かを判断する（Ｓ８０）。設定項目ボタン指定ボタン１６２〜１６７の何れかが押下された場合（Ｓ８０でＹｅｓ）には、処理はステップＳ８１に進む。
ステップＳ８１では、操作制御部１３０は、押下された設定項目ボタン指定ボタン１６２〜１６７に割り当てられている設定項目を変更するための設定項目変更画面の画面データを生成し、これをタッチパネル１２０に送り、その画面を表示させる。ここでは、例えば、図７に示されている設定項目変更画面１７０がタッチパネル１２０に表示されているものとする。
【００４３】
次に、操作制御部１３０は、表示されている設定項目変更画面１７０にて、設定項目選択ボタン１７１〜１７８のいずれかが押下されたか否かを判断する（Ｓ８２）。設定項目選択ボタン１７１〜１７８のいずれかが押下された場合（Ｓ８２でＹｅｓ）には、処理はステップＳ８３に進む。
ステップＳ８３では、操作制御部１３０は、押下された設定項目選択ボタン１７１〜１７８により特定される設定項目が、設定項目ボタン指定画面１６０にて選択された設定項目ボタンに対応する表示位置となるように、配置情報記憶部１１４に記憶された配置情報を更新する。
【００４４】
例えば、ステップＳ８０において、設定項目ボタン指定ボタン１６２が押下され、ステップＳ８２において、「Ｅｄｇｅ  Ｅｒａｓｅ」で示される枠消去の設定項目選択ボタン１７６が押下された場合には、図８に示されているコピー機能画面１４０＃１がタッチパネル１２０に表示される。
ここで、図８に示されているコピー機能画面１４０＃１において、ヘルプボタン１４１＃１が押下された場合には、図９に示されているフローに従って、ヘルプ表示画面を表示する処理が行われる。このような場合、ヘルプ画面では、枠消去の設定項目に対応するヘルプ情報が最初に表示される。
【００４５】
以上のように、実施の形態１によれば、複数の設定項目を含む設定選択画面においてヘルプ情報を表示する場合に、ユーザは、すべてのヘルプ項目を１ページずつ閲覧することもできるとともに、不要なヘルプ項目をスキップしながら、所望のヘルプ項目を探すこともできる。このため、ユーザ自身の習熟度や利用状況に応じて、効率よくヘルプ情報を閲覧することができる。
【００４６】
以上に記載された実施の形態１に係る情報処理装置１００は、プリンタ、複合機能装置、ファクシミリ装置等、タッチパネルを備えた画像形成装置であってもよい。
また、以上に記載した実施の形態１では、タッチパネルの実装方式として抵抗膜方式を用いる例を説明したが、代わりに静電容量方式を用いてもよい。
【符号の説明】
【００４７】
１００  情報処理装置、  １１０  記憶部、  １１１  項目情報記憶部、  １１２  表示用データ記憶部、  １１３  テキストデータ記憶部、  １１４  配置情報記憶部、  １１５  表示順情報記憶部、  １２０  タッチパネル、  １３０  操作制御部。
【図１】
2016009420.tif 000003
【図２】
2016009420.tif 000004
【図３】
2016009420.tif 000005
【図４】
2016009420.tif 000006
【図５】
2016009420.tif 000007
【図６】
2016009420.tif 000008
【図７】
2016009420.tif 000009
【図８】
2016009420.tif 000010
【図９】
2016009420.tif 000011
【図１０】
2016009420.tif 000012
【図１１】
2016009420.tif 000013
【図１２】
2016009420.tif 000014
【図１３】
2016009420.tif 000015
【図１４】
2016009420.tif 000016
【図１５】
2016009420.tif 000017
【図１６】
2016009420.tif 000018